(57)【要約】【課題】この発明は、受信機の不必要な電力消費を抑えることができるワイヤレステレビシステムを提供することを目的とする。【解決手段】放送電波を受信、復調して映像信号と音声信号を取り出し、それらを圧縮してワイヤレス送信する送信機と、送信機からワイヤレス送信された圧縮データを受信して伸長することにより、映像信号と音声信号とを取り出して番組を提示する受信機とを備えているワイヤレステレビシステムにおいて、送信機は、現在選局されているチャンネルでの番組放送が終了したことを検出する手段および現在選局されているチャンネルでの番組放送が終了したことが検出されたときに電源オフ信号をワイヤレス送信する手段を備えており、受信機は送信機からワイヤレス送信された電源オフ信号を受信したときに、受信機の電源をオフさせる手段を備えている。【選択図】　図１
2004032197.tif 000002
【特許請求の範囲】
【請求項１】
放送電波を受信、復調して映像信号と音声信号を取り出し、それらを圧縮してワイヤレス送信する送信機と、送信機からワイヤレス送信された圧縮データを受信して伸長することにより、映像信号と音声信号とを取り出して番組を提示する受信機とを備えているワイヤレステレビシステムにおいて、
送信機は、現在選局されているチャンネルでの番組放送が終了したことを検出する手段および現在選局されているチャンネルでの番組放送が終了したことが検出されたときに電源オフ信号をワイヤレス送信する手段を備えており、受信機は送信機からワイヤレス送信された電源オフ信号を受信したときに、受信機の電源をオフさせる手段を備えていることを特徴とするワイヤレステレビシステム。
【請求項２】
放送電波を受信、復調して映像信号と音声信号を取り出し、それらを圧縮してワイヤレス送信する送信機と、送信機からワイヤレス送信された圧縮データを受信して伸長することにより、映像信号と音声信号とを取り出して番組を提示する受信機とを備えているワイヤレステレビシステムにおいて、
送信機は、現在選局されているチャンネルでの番組放送が終了したことを検出する手段および現在選局されているチャンネルでの番組放送が終了したことが検出されたときに送信機の電源をオフにさせる手段を備えており、受信機は、送信機からの送信電波が受信されない状態が所定時間以上継続したか否かを監視する手段および送信機からの送信電波が受信されない状態が所定時間以上継続したときに、受信機の電源をオフさせる手段を備えていることを特徴とするワイヤレステレビシステム。
【発明の詳細な説明】
【０００１】
【発明の属する技術分野】
この発明は、ワイヤレステレビシステムに関する。
【０００２】
【従来の技術】
近年、無線ＬＡＮ技術やリアルタイム画像圧縮・伸長技術の発達、軽量で薄く、低消費電力の液晶パネル、有機ＥＬ（有機エレクトロルミネッセンス）パネルなどの実用化などにより、送信機によって受信したＴＶ番組データを無線ＬＡＮフォーマットで送信し、送信機から送信されたＴＶ番組データを離れた場所において受信機で受信して視聴するワイヤレステレビシステムが開発されている。
【０００３】
このようなワイヤレステレビシステムでは、通常、無線ＬＡＮを受信する受信機は持ち運びの利便性と経済性とを考慮し、充電式バッテリーで駆動する形態が一般的である。そして、送信機にバッテリー充電回路を内蔵させ、普段は送信機と受信機とを接続してバッテリーの充電を行い、必要に応じて受信機を送信機から切り離し、送信機に対して離れた位置で受信機による番組視聴を行うという運用が提案されている。
【０００４】
しかしながら、持ち運びの利便性を考慮した場合、受信機に搭載できるバッテリーは小型なものにならざるをえず、受信機の稼働時間にも限界がある。このような現状では、受信機の不必要な電力消費を抑えることが重要となる。
【０００５】
【発明が解決しようとする課題】
この発明は、受信機の不必要な電力消費を抑えることができるワイヤレステレビシステムを提供することを目的とする。
【０００６】
【課題を解決するための手段】
請求項１に記載の発明は、放送電波を受信、復調して映像信号と音声信号を取り出し、それらを圧縮してワイヤレス送信する送信機と、送信機からワイヤレス送信された圧縮データを受信して伸長することにより、映像信号と音声信号とを取り出して番組を提示する受信機とを備えているワイヤレステレビシステムにおいて、送信機は、現在選局されているチャンネルでの番組放送が終了したことを検出する手段および現在選局されているチャンネルでの番組放送が終了したことが検出されたときに電源オフ信号をワイヤレス送信する手段を備えており、受信機は送信機からワイヤレス送信された電源オフ信号を受信したときに、受信機の電源をオフさせる手段を備えていることを特徴とする。
【０００７】
請求項２に記載の発明は、放送電波を受信、復調して映像信号と音声信号を取り出し、それらを圧縮してワイヤレス送信する送信機と、送信機からワイヤレス送信された圧縮データを受信して伸長することにより、映像信号と音声信号とを取り出して番組を提示する受信機とを備えているワイヤレステレビシステムにおいて、送信機は、現在選局されているチャンネルでの番組放送が終了したことを検出する手段および現在選局されているチャンネルでの番組放送が終了したことが検出されたときに送信機の電源をオフにさせる手段を備えており、受信機は、送信機からの送信電波が受信されない状態が所定時間以上継続したか否かを監視する手段および送信機からの送信電波が受信されない状態が所定時間以上継続したときに、受信機の電源をオフさせる手段を備えていることを特徴とする。
【０００８】
【発明の実施の形態】
以下、図面を参照して、この発明の実施の形態について説明する。
【０００９】
〔１〕第１の実施の形態の説明
【００１０】
ワイヤレステレビシステムは、図１に示す送信機１００と、図２に示す受信機２００とから構成されている。
【００１１】
送信機１００は、外部アンテナ１、チューナ２、カラーデコーダ３、ＭＰＥＧエンコーダ４、第１の無線ユニット５、アンテナ６および電源オフ信号発生回路７を備えている。また、送信機１００は、チューナ２、カラーデコーダ３、ＭＰＥＧエンコーダ４および第１の無線ユニット５を制御するための第１の制御回路８を備えている。
【００１２】
受信機２００は、アンテナ３１、第２の無線ユニット３２、ＭＰＥＧデコーダ３３、映像出力回路３４、表示パネル３５、音声出力回路３６およびスピーカ３７を備えている。また、受信機２００は、受信機２００の各部へ電源を供給するためのバッテリー３８および電源スイッチ３９を備えている。さらに、受信機２００は、第２の無線ユニット３２、ＭＰＥＧデコーダ３３、表示パネル３５、電源スイッチ３９を制御するための第２の制御回路４０を備えている。
【００１３】
まず、番組視聴時の通常の動作について説明する。
【００１４】
放送電波は送信機１００の外部アンテナ１によって受信される。外部アンテナ１によって受信された放送電波は、チューナ２によって復調された後、カラーデコーダ３に送られ、カラーデコーダ３によって映像信号と音声信号とが取り出される。
【００１５】
カラーデコーダ３によって得られた映像信号と音声信号とは、ＭＰＥＧエンコーダ４に送られ、ＭＰＥＧ形式のデータにエンコード（圧縮）される。ＭＰＥＧエンコーダ４によって得られたデータは、第１の無線ユニット５により、アンテナ６を通して外部に発信される。
【００１６】
アンテナ６から発信された電波は、受信機２００のアンテナ３１により受信される。アンテナ３１により受信された電波は、第２の無線ユニット３２によって復調された後、ＭＰＥＧデコーダ３３に送られ、ＭＰＥＧデコーダ３３によって映像信号と音声信号が取り出される。
【００１７】
ＭＰＥＧデコーダ３３によって得られた映像信号は、映像出力回路３４を介して表示パネル３５に送られる。一方、ＭＰＥＧデコーダ３３によって得られた音声信号は、音声出力回路３６を介してスピーカ３７に送られる。これにより、受信機２００側において番組が提示される。
【００１８】
次に、放送終了時の動作について説明する。
【００１９】
番組の放送が終了し、放送電波が中断すると、チューナ２は、アンロック状態になり、アンロック信号を出力する。また、放送電波が中断されてなくても、現在選局されているチャンネルでの番組放送が終了した場合には、カラーデコーダ３は現在選局されているチャンネルの映像および音声をデコードできなくなるため、放送終了信号を出力する。
【００２０】
チューナ２から出力されるアンロック信号およびカラーデコーダ３から出力される放送終了信号は、電源オフ信号発生回路７に入力する。電源オフ信号発生回路７は、アンロック信号または放送終了信号が入力されると、現在選局されているチャンネルでの放送が終了したと判定し、電源ＯＦＦ信号を第１の無線ユニット５に出力する。第１の無線ユニット５は、電源オフ信号発生回路７からの電源ＯＦＦ信号をＭＰＥＧ形式のデータに重畳し、第１のアンテナ６を介して外部に発信する。
【００２１】
外部に発信された電源ＯＦＦ信号は、受信機２００のアンテナ３１により受信され、第２の無線ユニット３２での復調を経て、第２の制御回路４０に入力する。第２の制御回路４０は、電源ＯＦＦ信号を受信すると、電源スイッチ３９をオフにする。これにより、受信機２００の電源がオフされることになる。つまり、現在選局されているチャンネルでの番組放送が終了した場合には、受信機２００の電源が自動的にオフされることになり、受信機２００の不必要な電力消費が抑えられる。
【００２２】
〔２〕第２の実施の形態の説明
【００２３】
ワイヤレステレビシステムは、図３に示す送信機１００Ａと、図４に示す受信機２００Ａとから構成されている。図３において、図１と同じものには同じ符号を付してその説明を省略する。また、図４において、図２と同じものには同じ符号を付してその説明を省略する。
【００２４】
図３における送信機１００Ａでは、図１の電源オフ信号発生回路７の代わりに送信機１００Ａの電源スイッチ９を制御するための電源オフ回路７Ａが設けられている。また、図４における受信機２００Ａでは、第２の制御回路４０は、タイマ４１を備えている。
【００２５】
番組の放送が終了し、放送電波が中断すると、チューナ２は、アンロック状態になり、アンロック信号を出力する。また、放送電波が中断されてなくても、現在選局されているチャンネルでの番組放送が終了した場合には、カラーデコーダ３は現在選局されているチャンネルの映像および音声をデコードできなくなるため、放送終了信号を出力する。
【００２６】
チューナ２から出力されるアンロック信号およびカラーデコーダ３から出力される放送終了信号は、電源オフ回路７Ａに入力する。電源オフ回路７Ａは、アンロック信号または放送終了信号が入力されると、送信機１００Ａの電源スイッチ９をオフにする。
【００２７】
送信機１００Ａの電源がオフになると、受信機２００Ａには、電波が受信されなくなる。受信機２００Ａの第２の制御回路４０は、電波が受信されない状態が、所定時間以上継続したか否かをタイマ４１を利用して監視する。そして、電波が受信されない状態が、所定時間以上継続したときには、電源スイッチ３９をオフにする。これにより、受信機２００Ａの電源がオフされることになる。つまり、現在選局されているチャンネルでの番組放送が終了した場合には、受信機２００Ａの電源が自動的にオフされることになり、受信機２００Ａの不必要な電力消費が抑えられる。
【００２８】
【発明の効果】
この発明によれば、受信機の不必要な電力消費を抑えることができるようになる。
【図面の簡単な説明】
【図１】第１の実施の形態における送信機の構成を示すブロック図である。
【図２】第１の実施の形態における受信機の構成を示すブロック図である。
【図３】第２の実施の形態における送信機の構成を示すブロック図である。
【図４】第２の実施の形態における受信機の構成を示すブロック図である。
【符号の説明】
２　チューナ
３　カラーデコーダ
４　ＭＰＥＧエンコーダ
５　第１の無線ユニット
６　アンテナ
７　電源オフ信号発生回路
７Ａ　電源オフ回路
９　電源スイッチ
８　第１の制御回路
３１　アンテナ
３２　第２の無線ユニット
３３　ＭＰＥＧデコーダ
３８　バッテリー
３９　電源スイッチ
４０　第２の制御回路
４１　タイマ
１００、１００Ａ　送信機
２００、２００Ａ　受信機
【図１】
2004032197.tif 000003
【図２】
2004032197.tif 000004
【図３】
2004032197.tif 000005
【図４】
2004032197.tif 000006